(57)【要約】【課題】水平な下地材に複数ルーバーのジョイント部材を固定して、安定した支持及び正確な位置出しが可能な複数ルーバーのジョイント部支持構造。【解決手段】支柱２を貫通させて水平支持板３が固定され、水平支持板３の支柱２の周囲の上面に円筒体６が固定されたジョイント部材４を設け、前記円筒体６の上端を、天井裏に水平に設けた下地材１の下面に当接させて支柱２の上端部を前記下地材１に貫通させてナット７で締め付け固定し、水平支持板３は放射状に複数の枝板３ａが設けられ、各枝板３ａにはボルト穴９を穿ち、突起１０を当該枝板３ａから垂下させて成り、複数のルーバー１１の端部上面にはボルト短柱１２が、また、嵌合穴１３が夫々設けられ、各ルーバー１１は枝板３ａの突起１０を嵌合穴１３に、各ボルト短柱１２を枝板３ａのボルト穴９に夫々入れて各枝板３ａの下面に当て、ボルト短柱１２にナット１５を締め付けて成る。【選択図】図１
2019090187.tif 000002
【特許請求の範囲】
【請求項１】
複数のルーバーのジョイント部の支持構造において、
ボルトから成る支柱の上部に、当該支柱を貫通させた水平支持板が固定され、前記水平支持板は前記貫通された支柱を中心として放射状に複数の枝板が設けられ、
当該各枝板には複数のボルト穴を穿ち、また、１個の突起を当該枝板の下面から垂下させ、上記水平支持板又は枝板の上面に一定高さの突体が設けられて成るジョイント部材が設けられ、
当該ジョイント部材の突体の上端を、天井裏の空間に水平に設けた下地材の下面に当接させて支柱の上端部を前記下地材の上面上まで貫通させて、前記下地材の上面に突出した支柱に螺着したナットを締め付けて前記下地材にジョイント部材が固定され、
複数の各ルーバーの端部上面には前記枝板のボルト穴に相応する位置にボルト短柱が突設され、また、前記枝板の突起に相応する位置に前記突起が挿入される嵌合穴が設けられ、
各ルーバーは前記各枝板の突起を嵌合穴に、各ボルト短柱を腕板のボルト穴に夫々入れて各枝板の下面に当てられ、前記枝板から突出したボルト短柱にナットを螺着して締め付けられたことを特徴とする、複数ルーバーのジョイント部支持構造。
【請求項２】
前記水平支持板の各枝板下面に各ルーバーの一端を固定した際、水平支持板の突体の高さをルーバーの端部のボルト短柱の高さより高くしたことを特徴とする、請求項１に記載の複数ルーバーのジョイント部支持構造。
【請求項３】
前記突体が、支柱を囲む円筒体であることを特徴とする、請求項１又は２に記載の複数ルーバーのジョイント部支持構造。
【請求項４】
前記各水平支持板の枝板の突起を円柱形状とし、また、前記各ルーバーの前記嵌合穴の奥部は、前記突起が挿入された際、突起の先端部の外周を被うガイド体が設けられていることを特徴とする、請求項１〜３のいずれかに記載の複数ルーバーのジョイント部支持構造。
【請求項５】
前記複数の枝板を有する水平支持板が、３個の枝板、４個の枝板、５個の枝板及び６個の枝板を有する水平支持板から成るジョイント部材を複数個夫々揃えてなり、これらのジョイント部材を用いて同一長のルーバーを平面視菱形形状に連続して組立てたことを特徴とする、請求項１〜４のいずれかに記載の複数のルーバーのジョインント部支持構造。  
【発明の詳細な説明】
【技術分野】
【０００１】
この発明は、天井に多数の多角形枠状にルーバーを設ける際の、複数のルーバーを接続するジョイント部の支持構造に関するものである。
【背景技術】
【０００２】
従来、天井に張り巡らす格子状や、亀甲形状等の多角形枠組みから成るルーバーは、特許文献１に示す様に、複数のルーバーが集まるジョイント部に、吊りボルトを中央に備えた受け座から成る連結金具を設け、例えば、６方向から集まるルーバーの一端を前記受け座に載せて固定し、当該多数のルーバーを当該連結金具の吊りボルトで天井から吊っている。
【０００３】
また、特許文献２のものは、水平格子状にルーバーを組み立て、当該ルーバーに二股状の吊下げ部材を係止して、当該吊下げ部材を吊りボルトで吊下げて、前記格子状のルーバーを天井に吊下げている。
【先行技術文献】
【特許文献】
【０００４】
【特許文献１】実開昭６３−１８６８１５号公報
【特許文献２】特開平０８−３２６２０５号公報
【発明の開示】
【発明が解決しようとする課題】
【０００５】
しかしながら、上記特許文献１及び２のものは、多角形状又は格子状に組み立てたルーバーを天井部材から吊り下げた吊りボルトで吊下げているため、不安定であり、重量のある多数のルーバーを支えることはできない。  
【０００６】
そこで、この発明は上述の課題を解決するため、吊下げボルトを使用せず、天井裏に設けた水平な下地材に複数ルーバーのジョイント部の支持材を固定して、安定した支持及び正確な位置出しが可能な複数ルーバーのジョイント部支持構造を提供することを目的としたものである。
【課題を解決するための手段】
【０００７】
請求項１の発明は、複数のルーバーのジョイント部の支持構造において、ボルトから成る支柱の上部に、当該支柱を貫通させた水平支持板が固定され、前記水平支持板は前記貫通された支柱を中心として放射状に複数の枝板が設けられ、当該各枝板には複数のボルト穴を穿ち、また、１個の突起を当該枝板の下面から垂下させ、上記水平支持板又は枝板の上面に一定高さの突体が設けられて成るジョイント部材が設けられ、当該ジョイント部材の突体の上端を、天井裏の空間に水平に設けた下地材の下面に当接させて支柱の上端部を前記下地材の上面上まで貫通させて、前記下地材の上面に突出した支柱に螺着したナットを締め付けて前記下地材にジョイント部材が固定され、複数の各ルーバーの端部上面には前記枝板のボルト穴に相応する位置にボルト短柱が突設され、また、前記枝板の突起に相応する位置に前記突起が挿入される嵌合穴が設けられ、各ルーバーは前記各枝板の突起を嵌合穴に、各ボルト短柱を腕板のボルト穴に夫々入れて各枝板の下面に当てられ、前記枝板から突出したボルト短柱にナットを螺着して締め付けられた、複数ルーバーのジョイント部支持構造とした。
【０００８】
また、請求項２の発明は、前記水平支持板の各枝板下面に各ルーバーの一端を固定した際、水平支持板の突体の高さをルーバーの端部のボルト短柱の高さより高くした、請求項１に記載の複数ルーバーのジョイント部支持構造とした。
【０００９】
また、請求項３の発明は、前記突体が、支柱を囲む円筒体である、請求項１又は２に記載の複数ルーバーのジョイント部支持構造とした。
【００１０】
また、請求項４の発明は、前記各水平支持板の枝板の突起を円柱形状とし、また、前記各ルーバーの前記嵌合穴の奥部は、前記突起が挿入された際、突起の先端部の外周を被うガイド体が設けられている、請求項１〜３のいずれかに記載の複数ルーバーのジョイント部支持構造とした。
【００１１】
また、請求項５の発明は、前記複数の枝板を有する水平支持板が、３個の枝板、４個の枝板、５個の枝板及び６個の枝板を有する水平支持板から成るジョイント部材を複数個夫々揃えてなり、これらのジョイント部材を用いて同一長のルーバーを平面視菱形形状に連続して組立てた、請求項１〜４のいずれかに記載の複数のルーバーのジョインント部支持構造とした。
【発明の効果】
【００１２】
請求項１の発明によれば、水平支持板を支持する支柱を、天井裏空間に水平に設けられた下地材に貫通させて複数のルーバーのジョイント部材は前記下地材に固定されており、且つ、ジョイント材の水平支持板の上面に突体が設けられ、当該突体の上面を下地材の下面に当接して、前記支柱を下地材に固定するため、各ルーバーのジョイント部材である水平支持板は下地材に強固にかつ安定よく固定され、ぐらつくことがない。
【００１３】
また、各ルーバーも水平支持板から放射状に設けられた複数の枝板下面に当接させて固定するため、強固に固定される。その際、前記枝板の突起を各ルーバーの嵌合孔に嵌めるため、これが位置決めとなって、複数のルーバーの組み立てが容易である。また、上述の様に、複数のルーバーのジョイント部材が下地材に固定されるため、正確な位置にルーバーを取付けることが出来る。
【００１４】
また、請求項２の発明によれば、前記各ルーバーを水平支持板の枝板に固定した際、ルーバー端部から突出するボルト短柱が前記下地材の下面より低いため、ボルト短柱が下地材下面にぶつからず、当該ルーバーの取付けが容易である。
【００１５】
また、請求項３の発明によれば、前記突体が、支柱を囲む円筒体であるため、支柱を下地材に貫通させて、支柱に螺着したナットを締め付ける際、前記円筒体が下地材の応力受けとなり、ジョイント部材を下地材に強固に支持、固定できる。
【００１６】
また、請求項４の発明によれば、前記水平支持板の各枝板の突起が、各ルーバーの嵌合穴の中で、突起の先端部までガイド体に支持され、ぐらついたりする恐れがない。
【００１７】
また、請求項５の発明によれば、枝板の数が３本、４本、５本及び６本の各ジョイント部材を用意することにより、複数のルーバーから成る平面視菱形の集合体からなる枠体を容易に形成することが出来る。
【図面の簡単な説明】
【００１８】
【図１】この発明の実施の形態例１の複数ルーバーのジョイント部支持構造要部正面図である。
【図２】この発明の実施の形態例１の複数ルーバーのジョイント部支持構造のジョイント部材の一部断面正面図である。
【図３】この発明の実施の形態例１の複数ルーバーのジョイント部支持構造のルーバー端部の正面図である。
【図４】この発明の実施の形態例１の複数ルーバーのジョイント部支持構造のルーバーのＡ−Ａ線断面図である。
【図５】この発明の実施の形態例１の複数ルーバーのジョイント部支持構造のルーバーのＢ−Ｂ線断面図である。
【図６】この発明の実施の形態例１の複数ルーバーのジョイント部支持構造の３方向の枝板を有する水平支持板を用いた箇所の平面図である。
【図７】この発明の実施の形態例１の複数ルーバーのジョイント部支持構造の３方向の枝板を有する水平支持板を用いた箇所の底面図である。
【図８】この発明の実施の形態例１の複数ルーバーのジョイント部支持構造の４方向の枝板を有する水平支持板を用いた箇所の平面図である。
【図９】この発明の実施の形態例１の複数ルーバーのジョイント部支持構造の４方向の枝板を有する水平支持板を用いた箇所の底面図である。
【図１０】この発明の実施の形態例１の複数ルーバーのジョイント部支持構造の５方向の枝板を有する水平支持板を用いた箇所の平面図である。
【図１１】この発明の実施の形態例１の複数ルーバーのジョイント部支持構造の５方向の枝板を有する水平支持板を用いた箇所の底面図である。
【図１２】この発明の実施の形態例１の複数ルーバーのジョイント部支持構造の６方向の枝板を有する水平支持板を用いた箇所の平面図である。
【図１３】この発明の実施の形態例１の複数ルーバーのジョイント部支持構造の６方向の枝板を有する水平支持板を用いた箇所の底面図である。
【図１４】この発明の実施の形態例１の複数ルーバーのジョイント部支持構造を用いた連続三角形を成すルーバーの枠組みの見上げ図である。
【図１５】この発明の実施の形態例１の複数ルーバーのジョイント部支持構造を用いた連続四角形を成すルーバーの枠組みの見上げ図である。
【図１６】この発明の実施の形態例１の複数ルーバーのジョイント部支持構造を用いた連続菱型を成すルーバーの枠組みの見上げ図である。
【図１７】この発明の実施の形態例１の複数ルーバーのジョイント部支持構造を用いた連続菱型を成すルーバーの他の枠組みの見上げ図である。
【図１８】この発明の実施の形態例２の複数ルーバーのジョイント部支持構造要部正面図である。
【図１９】この発明の実施の形態例２の複数ルーバーのジョイント部支持構造の枝板及びルーバー材の断面図である。
【図２０】この発明の実施の形態例２の複数ルーバーのジョイント部支持構造の３方向の枝板を有する水平支持板を用いた箇所の平面図である。
【発明を実施するための形態】
【００１９】
（実施の形態例１）
まず、この発明の実施の形態例１の複数ルーバーのジョイント部支持構造を図に基づいて説明する。
【００２０】
天井裏空間に水平に設けられたアングル材から成る下地材１に、支柱２及び当該支柱２の上部が貫通した水平支持板３から成るジョイント部材４が固定されている。前記支柱２は水平支持板３を貫通した上下外周にナット５、５を螺着して締め付け、さらに溶接して固定されている。この支柱２が貫通した水平支持板３の上面には、前記支柱２を内包するように円筒体６が固定されている。
【００２１】
当該ジョイント部材４の円筒体６の上面を前記下地材１の下面に当てて、支柱２の上端部が前記下地材１の孔（図示省略）を通して下地材１を貫通し、下地材１の上面に突出した支柱２の先端部にナット７を螺着し、締め付けてジョイント部材４は前記下地材１に固定されている。前記円筒体６がナット７の締め付けにより下地材１の応力受けとなっており、かつ、当該ジョイント部材４を下地材１に強固に固定することができる。なお、前記下地材１は天井裏に間隔をあけて多数設けられている。
【００２２】
また、前記ジョイント部材４の支柱２の下端にはフランジ８が固定されている。さらに、水平支持板３は、前記支柱２を中心に放射状に複数の枝板３ａが水平に伸びている。この各枝板３ａには、ボルト穴９が３個設けられ、これらの間の枝板３ａの下面から円柱状の突起１０が垂下している。
【００２３】
また、当該ジョイント部材４には複数のルーバー１１の端部が接続される。このルーバー１１は、図３に示す様に、一端上面から３本のボルト短柱１２が突設されている。これらの３本のボルト柱１２は、前記枝板３ａの３個のボルト穴９の位置に相応して設けられている。
【００２４】
また、これらのボルト短柱１２の間の一つの上面には前記突起１０を挿入する嵌合孔１３が設けられている。この嵌合孔１３の奥部には、前記突起１０が挿入された際、前記突起１０の先端部外周を被うガイド体１４が設けられている。
【００２５】
そして、当該複数の各ルーバー１１の端部をジョイント部材４に接続するには、ジョイント部材４の各枝板３ａのボルト穴９に各ルーバー１１のボルト短柱１２を入れ、さらに、各枝板３ａの突起１０を各ルーバー１１の嵌合孔１３に入れて各ルーバー１１の上面を前記枝板３ａの下面に当接させ、前記枝板３ａの上面に突出するボルト短柱１２にナット１５を螺着してこれを締め付け、これを各枝板３ａ及びルーバー１１毎に行う。この様にして複数のジョイント部材４を天井裏の下地材１に固定し、当該ジョイント部材４に複数のルーバー１１の端部を接続する。
【００２６】
この様にジョイン部材４の各枝板３ａに夫々ルーバー１１を接続した際、図１に示す様に、各ルーバー１１の上端から突出するボルト短柱１２の上端の高さより円筒体６の高さを高くして、各ボルト短柱１２の上端が下地材１１に当たらないようにしている。
【００２７】
また、前記ジョイント部材４の水平支持板３の複数の枝板３ａは、種々の物がある。図６及び図７に示すものは、水平支持板３から３方向に枝板３ａが突出しているジョイント部材４１を用いたものである。図６は当該箇所の見下げ図であり、図７は当該箇所の見上げ図である。なお、３個のルーバー１１の端部の集合部には下からキャップ１６が被冠されている。
【００２８】
また、図８及び図９に示すものは、水平支持板３から４方向に枝板３ａが突出しているジョイント部材４２を用いたものである。図８は当該箇所の見下げ図であり、図９は当該箇所の見上げ図である。なお、３個のルーバー１１の端部の集合部には下からキャップ１６が被冠されている。
【００２９】
また、図１０及び図１１に示すものは、水平支持板３から５方向に枝板３ａが突出しているジョイント部材４３を用いたものである。図１０は当該箇所の見下げ図であり、図１１は当該箇所の見上げ図である。なお、３個のルーバー１１の端部の集合部には下からキャップ１６が被冠されている。
【００３０】
また、図１２及び図１３に示すものは、水平支持板３から６方向に枝板３ａが突出しているジョイント部材４４を用いたものである。図１２は当該箇所の見下げ図であり、図１３は当該箇所の見上げ図である。なお、３個のルーバー１１の端部の集合部には下からキャップ１６が被冠されている。
【００３１】
これらのジョイント部材４１〜４４を用いて、上記構成から成る多数のルーバー１１を同形同大の正三角形に連続して組み立てたものを図１４に示す。また、水平支持板３から十字方向に枝板３ａが突出しているジョイント部材４２´用いて、上記構成から成る多数のルーバー１１を同形同大の正四角形に連続して組み立てたものを図１５に示す。
【００３２】
また、ジョイント部材４１〜４４を用いて、上記構成から成る多数のルーバー１１を同形同大の菱型に連続して組み立てたものを図１６及び図１７に示す。これらの図面は天井に設けられたルーバー１１の見上げ図であり、各ルーバー１１の端部は前記ジョイント部材４１〜４４の一つを用いて接続され、各接続ジョイント部は、図１に示す様に、天井裏の空間に設けられた下地材１に支持されている。
【００３３】
（実施の形態例２）
次に、この発明の実施の形態例２について図１８〜図２０に基づいて説明する。この実施の形態例２の複数のルーバーのジョイント部支持構造は、実施の形態例１の支柱２が貫通する水平支持板３に支柱２を囲む様に設けた円筒体６がないものである。この円筒体６がない代わりに、水平支持板３の複数の枝板３ａの両側に上方折曲縁１８を設けたものであり、当該上方折曲縁１８の上端の全部又は一部が前記下地材１の下面に当接され、上方折曲縁２１でナット７の締付けによる下地材１の応力を受けとなっている。
【００３４】
また、これらの上方折曲縁１８を設けたことにより、各ルーバー１１のボルト短柱１２の上端が下地材１の下面に当たらないようになっている。他の構成は実施の形態例１と同じである。
【００３５】
また、実施の形態例１及び２の円筒体１６及び上方折曲縁１８に限らず、水平支持板３又は枝板３ａから上方に向けた突体を適宜設け、当該突体の上端を下地材１の下面に当接させてジョイント部材４を下地材１に支持、固定させる構造であればよい。
【符号の説明】
【００３６】
１      下地材                    ２      支柱    
３      水平支持板                ３ａ    枝板  
４      ジョイント部材            ５      ナット  
６      円筒体                    ７      ナット
８      フランジ                  ９      ボルト穴
１０    突起                      １１    ルーバー
１２    ボルト短柱                １３    嵌合孔
１４    ガイド体                  １５    ナット  
１６    キャップ                  １８    上方折曲縁        
４１〜４４    ジョイント部材
【図１】
2019090187.tif 000003
【図２】
2019090187.tif 000004
【図３】
2019090187.tif 000005
【図４】
2019090187.tif 000006
【図５】
2019090187.tif 000007
【図６】
2019090187.tif 000008
【図７】
2019090187.tif 000009
【図８】
2019090187.tif 000010
【図９】
2019090187.tif 000011
【図１０】
2019090187.tif 000012
【図１１】
2019090187.tif 000013
【図１２】
2019090187.tif 000014
【図１３】
2019090187.tif 000015
【図１４】
2019090187.tif 000016
【図１５】
2019090187.tif 000017
【図１６】
2019090187.tif 000018
【図１７】
2019090187.tif 000019
【図１８】
2019090187.tif 000020
【図１９】
2019090187.tif 000021
【図２０】
2019090187.tif 000022